(57)【要約】【課題】複数の項目の中から、所望の項目を容易且つ迅速に選択可能なテレビジョンを提供する。【解決手段】サービスＩＤとサービス名とを対応付けたチャンネル説明テーブルＴ２を不揮発性メモリー２０に記憶しておき、リモコン６０の数字キー６６のいずれかの選択と検索位置の指定とを受付け、選択された数字キーに対応付けられた文字又は数字を上記検索位置に含むサービス名をチャンネル説明テーブルＴ２の中から検索し、検索されたサービス名をディスプレイ１６に表示し、表示されたサービス名の何れかをリモコン６０で選択可能にする。【選択図】図８
2011101257.tif 000002
【特許請求の範囲】
【請求項１】
表示部と操作入力部とを備えたテレビジョンにおいて、
複数の文字又は数字を割当てられた複数の操作キーと、
いずれかの操作キーの入力と検索位置の指定とを受付けるキー受付手段と、
項目特定情報と項目説明との対応関係を記憶している対応関係記憶手段と、
上記入力された操作キーに対応付けられた文字又は数字を上記検索位置に含む項目説明を上記対応関係の中から検索する検索手段と、
上記検索手段によって検索された項目説明を上記表示部に表示する表示手段と、
上記表示部に表示された項目説明のいずれかを選択するための選択手段と、
を備えることを特徴とするテレビジョン。
【請求項２】
上記キー受付手段は、上記操作キーの入力された順番を上記検索位置として受付ける請求項１に記載のテレビジョン。
【請求項３】
上記検索位置は、上記検索手段の検索対象となる上記項目説明の各構成要素における先頭からの順番である請求項１または請求項２に記載のテレビジョン。
【請求項４】
上記検索位置は、上記検索手段の検索対象となる上記項目説明の各構成要素における末尾からの順番である請求項１〜請求項３の何れか１項に記載のテレビジョン。
【請求項５】
デジタルテレビ放送信号から取得したチャンネル特定情報とチャンネルの説明とに基づいて、チャンネルに関する上記対応関係を作成する対応関係作成手段を更に備える請求項１〜請求項４の何れか１項に記載のテレビジョン。
【請求項６】
デジタルテレビ放送信号から取得した番組特定情報と番組の説明とに基づいて番組に関する上記対応関係を作成する対応関係作成手段を更に備える請求項１〜請求項５の何れか１項に記載のテレビジョン。
【請求項７】
上記表示手段は、上記検索手段によって検索された項目説明が無いときは、項目が無いことを上記表示部に表示する請求項１〜請求項６の何れか１項に記載のテレビジョン。
【発明の詳細な説明】
【技術分野】
【０００１】
本発明は、テレビジョンに関し、特に、表示部と操作入力部とを備えたテレビジョンに関する。
【背景技術】
【０００２】
近年、デジタルテレビ放送ではチャンネル数が増加し、それに伴って放送局も増加している。そのため、ユーザーにとって、チャンネル番号と放送局との対応関係を覚えることが難しくなってきている。また、リモコンに備わっている数字キーよりも多くのチャンネルがあるため、仮にユーザーがチャンネル番号と放送局との対応関係を覚えていても、チャンネル番号の指定に多くの操作が必要である。このような事情から、ＥＵでは、ＥＰＧやお気に入り等のリストから放送局を選局することが一般的になっているし、他の地域でも似たような状況にある。
【０００３】
特許文献１には、画面にソフトキーボードを表示して、一文字が選択されるたびに入力補助テーブルを参照し、選択された一文字で始まる変換候補文字列を画面上に表示することが開示されている。
特許文献２には、入力された数値が、記憶しているチャンネル番号の数値と合致している場合は、次の桁の入力を行う際に入力可能な数値を表示することが開示されている。
特許文献３には、入力途中若しくは入力済みの文字情報に基づいて、次に入力される文字情報の候補を表示することが開示されている。
特許文献４には、１つ以上のシラブルに対応付けられた入力信号に対して予測単語を表示することについて開示されている。
特許文献５には、キー操作によって特定された文字に応じた、入力可能な内容を一覧表示することについて開示されている。
【先行技術文献】
【特許文献】
【０００４】
【特許文献１】特開2005-020460号公報
【特許文献２】特開2006-174048号公報
【特許文献３】特開2007-206978号公報
【特許文献４】特開2003-015803号公報
【特許文献５】特開2003-196009号公報
【発明の概要】
【発明が解決しようとする課題】
【０００５】
従来の技術では、チャンネル番号をダイレクトに入力して選局する場合は、ユーザーがチャンネル番号を記憶する必要があった。また、チャンネルリスト形式の選局方法は、目的のチャンネルが表示されるまでリストをスクロールさせる必要があり、チャンネルによっては、選局するまでに何回もキーを押さないと選局できなかった。また、ＥＰＧ内での番組の検索では、キーワード入力時に目的のアルファベットが表示されるまでに多くのキー操作が発生していた。
【０００６】
本発明は、上記課題に鑑みてなされたもので、複数の項目の中から、所望の項目を容易且つ迅速に選択可能なテレビジョンの提供を目的とする。
【課題を解決するための手段】
【０００７】
上記課題を解決するために、本発明の請求項１にかかる発明では、表示部と操作入力部とを備えたテレビジョンにおいて、複数の文字又は数字を割当てられた複数の操作キーと、いずれかの操作キーの入力と検索位置の指定とを受付けるキー受付手段と、項目特定情報と項目説明との対応関係を記憶している対応関係記憶手段と、上記入力された操作キーに対応付けられた文字又は数字を上記検索位置に含む項目説明を上記対応関係の中から検索する検索手段と、上記検索手段によって検索された項目説明を上記表示部に表示する表示手段と、上記表示部に表示された項目説明のいずれかを選択するための選択手段と、
を備える構成としてある。該構成によれば、複数の項目の中から、所望の項目を容易且つ迅速に選択可能なテレビジョンを提供することができる。
【０００８】
また、本発明の選択的な一態様として、上記キー受付手段は、上記操作キーの入力された順番を上記検索位置として受付ける構成としてもよい。該構成によれば、入力した順に検索ワードを構成できる。
【０００９】
また、本発明の選択的な一態様として、上記検索位置は、上記検索手段の検索対象となる上記項目説明の各構成要素における先頭からの順番である構成としてもよい。該構成によれば、前方一致検索が行える。
【００１０】
また、本発明の選択的な一態様として、上記検索位置は、上記検索手段の検索対象となる上記項目説明の各構成要素における末尾からの順番である構成としてもよい。該構成によれば、後方一致検索が行える。
【００１１】
また、本発明の選択的な一態様として、デジタルテレビ放送信号から取得したチャンネル特定情報とチャンネルの説明とに基づいて、チャンネルに関する上記対応関係を作成する対応関係作成手段を更に備える構成としてもよい。該構成によれば、チャンネル選択を容易且つ迅速に行えるようになる。
【００１２】
また、本発明の選択的な一態様として、デジタルテレビ放送信号から取得した番組特定情報と番組の説明とに基づいて番組に関する上記対応関係を作成する対応関係作成手段を更に備える構成としてもよい。該構成によれば、番組選択を容易且つ迅速に行えるようになる。
【００１３】
また、本発明の選択的な一態様として、上記表示手段は、上記検索手段によって検索された項目説明が無いときは、項目が無いことを上記表示部に表示する構成としてもよい。該構成によれば、検索結果が見つからないときに、ユーザーがそれを即座に認識できるため、その後の検索をすぐに実行することができるようになる。
【００１４】
上述したテレビジョンは、他の機器に組み込まれた状態で実施されたり他の方法とともに実施されたりする等の各種の態様を含む。また、本発明は上記テレビジョンを備える表示システム、上述したテレビジョンの構成に対応した工程を有する表示方法、上述したテレビジョンの構成に対応した機能をコンピュータに実現させる表示プログラム、該プログラムを記録したコンピュータ読み取り可能な記録媒体、等としても実現可能である。これら表示システム、表示方法、表示プログラム、該プログラムを記録した媒体、の発明も、上述した作用、効果を奏する。むろん、請求項２〜７に記載した構成も、前記システムや前記方法や前記プログラムや前記記録媒体に適用可能である。
【発明の効果】
【００１５】
以上説明したように本発明によれば、複数の項目の中から、所望の項目を容易且つ迅速に選択可能なテレビジョンを提供することができる。
また請求項２にかかる発明によれば、入力した順に検索ワードを構成できる。
また請求項３にかかる発明によれば、前方一致検索が行える。
また請求項４にかかる発明によれば、後方一致検索が行える。
また請求項５にかかる発明によれば、チャンネル選択を容易且つ迅速に行えるようになる。
また請求項６にかかる発明によれば、番組選択を容易且つ迅速に行えるようになる。
また請求項７にかかる発明によれば、検索結果が見つからないときに、ユーザーがそれを即座に認識できるため、その後の検索をすぐに実行することができるようになる。
【図面の簡単な説明】
【００１６】
【図１】テレビジョンのハードウェア構成を示すブロック図である。
【図２】リモコンの外観を簡略的に示した斜視図である。
【図３】メニュー説明テーブルの一例である。
【図４】ＳＤＴの構造を示す図とService Descriptorの構造を示す図である。
【図５】チャンネル説明テーブルの一例である。
【図６】ＥＩＴの構造を示す図とShort Event Descriptorの構造を示す図である。
【図７】番組説明テーブルの一例である。
【図８】クイック検索処理の流れを示すフローチャートである。
【図９】クイック検索のＵＩと処理の流れのイメージを示した説明図である。
【発明を実施するための形態】
【００１７】
以下、下記の順序に従って本発明の実施形態を説明する。
（１）本実施形態の構成：
（２）クイック検索処理：
（３）まとめと変形例：
【００１８】
（１）本実施形態の構成： 
以下、本発明の実施形態について図面を参照しつつ説明する。本実施形態においては、テレビジョンとしてデジタルテレビ放送に対応したテレビジョンを例にとって説明するが、むろんアナログ放送に対応したテレビジョンであってもよい。また、ディスクやハードディスク等を記録媒体とする再生装置や記録装置とのコンボ機であってもよい。
【００１９】
図１はテレビジョン１００のハードウェア構成を示すブロック図である。同図において、テレビジョン１００は、チューナー１０と、デジタル復調回路１２と、映像信号処理部１４と、ディスプレイ１６（表示部）と、マイコン１８と、不揮発性メモリー２０と、リモコン受信部２２とを備えている。この構成において、マイコン１８は、各部１０，１２，１４，１６，２０，２２と電気的に接続しており、テレビジョン１００全体の制御部として機能している。
【００２０】
より具体的には、マイコン１８は、ＣＰＵ１８ａとＲＯＭ１８ｂとＲＡＭ１８ｃとＯＳＤ回路１８ｄと入出力回路１８ｅ（Ｉ／Ｏ１８ｅ）とを備えており、ＲＡＭ１８ｃをワークエリアとしつつＣＰＵ１８ａがＲＯＭ１８ｂに記憶されたプログラムを実行することにより、テレビジョン１００としての動作を実現する。例えば、マイコン１８は、リモコン６０においてチャンネルを選局する操作入力が行われると、この操作入力に対応する電圧信号をリモコン受信部２２を介して入出力回路１８ｅにて受付け、選局されたチャンネルを指定する選局制御信号周波数データをチューナー１０に入力する。
【００２１】
チューナー１０は、いわゆるシンセサイザ方式の構成とすることができる。シンセサイザ方式の場合、チューナー１０には、選局制御信号として、ＰＬＬループにおける可変分周回路の分周比のデータであるＰＬＬデータが与えられる。チューナー１０は、マイコン１８からＰＬＬデータが入力されると、アンテナから入力されるデジタルテレビ放送信号から、ＰＬＬデータに対応する周波数帯域の中間周波信号（ＩＦ）を抽出してデジタル復調回路１２に供給する。
【００２２】
デジタル復調回路１２は、フロントエンド１２ａとバックエンド１２ｂとから構成されている。デジタルＩ／Ｆは、入力された中間周波信号をデジタル信号に変換する。復調部は、伝送路上で発生したビット誤りを訂正しつつトランスポートストリーム信号（ＴＳ信号）を取得するエラー訂正デコーダとして機能し、取得したＴＳ信号をバックエンド１２ｂに出力する。また、復調部はデジタル復調した信号に対してマイコン１８からの制御情報に基づいて、いわゆるゴーストキャンセルも行う。
【００２３】
バックエンド１２ｂは、デ・スクランブル部とデ・マルチプレックス部とＭＰＥＧデコーダとを備えている。デ・スクランブル部は、ＴＳ信号に対してデ・スクランブル処理を行うことにより、ＴＳ信号を再生可能なデータ配列に復元する。デ・マルチプレックス部は、デ・スクランブル部から入力されたＴＳ信号に対してデ・マルチプレックス処理を行って映像信号や音声信号や文字情報等の多重化を解除し、映像信号および音声信号が所定の方式により圧縮されたＭＰＥＧデータを得る。ＭＰＥＧデコーダは、デ・マルチプレックス部から入力されたＭＰＥＧデータの圧縮解凍処理を行ってデジタル映像信号とデジタル音声信号とを再生する。デジタル映像信号は映像信号処理部１４に出力され、デジタル音声信号はアナログ音声信号に変換されてから不図示のスピーカに出力される。
【００２４】
映像信号処理部１４は、入力された映像信号に対して所定の信号処理を行ってからディスプレイ１６に出力する。より具体的には、映像信号処理部１４は、画素数変換回路と、画質調整回路と、出力処理回路とを備えている。画素数変換回路は、入力されたデジタル映像信号に対してスケーリング処理を行いつつディスプレイ１６の１画面分のＲＧＢ信号を生成する。画質調整回路は、画素数変換回路から入力されたＲＧＢ信号に対して、ブライトネス、コントラスト、黒バランスおよび白バランス、シャープネス、色合い等の各種調整を行う。出力処理回路は、画質調整回路から入力されたＲＧＢ信号に対して、ガンマ補正、ディザ処理等を行うとともに、背景信号、ＯＳＤ信号、ブランキング信号等を付加してディスプレイ１６に出力する。
【００２５】
ディスプレイ１６は、例えば液晶パネルと駆動回路とから構成される液晶モジュールであり、映像信号処理部１４から入力される映像信号に基づいて駆動回路が液晶パネルの駆動信号を生成し、この駆動信号に基づいて液晶パネルの各画素を駆動する。なお、本実施形態ではディスプレイ１６を液晶モジュールとしているが、むろん、ＣＲＴやプラズマディスプレイや有機ＥＬを用いたディスプレイやプロジェクタなど種々のディスプレイを採用することができる。
【００２６】
また、リモコン６０においてメニュー画面の表示を指示する操作入力が行われると、マイコン１８は、この操作入力に対応する電圧信号を入出力回路１８ｅにて受付け、受付けた操作入力に対応するＯＳＤデータを不揮発性メモリー２０から取得してＯＳＤ（On Screen Display）信号を生成する。なお、ＯＳＤデータは、ＲＯＭ１８ｂに記憶しておいてもよい。マイコン１８は、ディスプレイ１６の画面に表示された操作項目の中からいずれかを選択する操作入力を、リモコン６０から受付けると、選択された操作項目に対応する設定処理を実行する。
【００２７】
図２は、リモコン６０の外観を簡略的に示した斜視図である。同図において、左図は欧州で一般的に利用されているリモコンの数字キーの配列で示してあり、右図は日本で一般的に利用されているリモコンの数字キーの配列で示してある。同図において、電源のオンオフを切換えるための電源キー６２、メニュー画面を呼び出すためのメニュー呼び出しキー６３、カーソル位置を移動させるとともに所望の項目に対する選択を確定させるためのカーソルキー６４、音量を調節するためのボリュームキー６５、チャンネル番号の入力や文字列の入力に利用される数字キー６６、を備えている。この数字キー６６が、本実施形態における複数の操作キーを構成する。
【００２８】
数字キー６６は、日本／欧州のどちらの配列であっても、主要なキーには複数の数字・文字が割当字として対応付けられており、数字キー６６の何れかが操作されると割当字が順に選択可能になっている。すなわち、同一の数字キーを連続して押下げた回数に応じて選択される字を変更することができる。なお、図２では、割当字の文字としてアルファベットを例示してあるが、むろん、他の文字種（ひらがな、カタカナ、ギリシャ文字等）を割当てても構わない。
【００２９】
不揮発性メモリー２０は、ＯＳＤデータのように通常のテレビジョン１００の制御処理において実行するプログラム以外のデータを格納するための記憶媒体であり、表示設定のパラメーターや音声設定のパラメーター等も記憶されている。
【００３０】
また、不揮発性メモリー２０には、メニュー説明テーブルＴ１と、チャンネル説明テーブルＴ２と、番組説明テーブルＴ３とが記憶されている。メニュー説明テーブルＴ１は、メニュー項目名と、メニュー項目が選択されたときに行われる動作内容の説明とを対応付けたテーブルである。チャンネル説明テーブルＴ２は、チャンネル番号等のテレビ放送のチャンネルを特定するための情報とチャンネルの説明文とを対応付けたテーブルである。なお、本実施形態では、各テーブルＴ１〜Ｔ３について、テーブルと記載してあるが、項目名やチャンネル番号等と説明文とを対応付けた形式のデータであれば、テーブル形式である必要は無い。
【００３１】
図３はメニュー説明テーブルＴ１の一例を示す説明図である。同図に示すように、メニュー説明テーブルＴ１はメニューの項目名（項目特定情報）と、項目が選択されたときの動作の説明（項目説明）とで構成されている。メニュー説明テーブルＴ１は、製造元が作成してテレビジョン１００の出荷時に不揮発性メモリー２０にあらかじめ記憶させてある。
【００３２】
図４（ａ）はＳＤＴの構造を示す図であり、図４（ｂ）はService Descriptorの構造を示す図であり、図５はチャンネル説明テーブルの一例である。図６（ａ）はＥＩＴの構造を示す図であり、図６（ｂ）はShort Event Descriptorの構造を示す図であり、図７は番組説明テーブルの一例である。
チャンネル説明テーブルＴ２や番組説明テーブルＴ３は、上記ＴＳ信号の中のＳＩ（Service Information）から所定のタイミングでＳＤＴ（Service Description Table）やＥＩＴ（Event Information Table）をマイコン１８が抽出し、抽出した情報を関連付けることにより作成されている。ＳＩは、デジタルテレビ放送のサービス情報を伝送するための規格である。
【００３３】
図４に示すＳＤＴは、サービスの構成を伝送するための規格であり、Ａの位置にチャンネル数分の情報が繰り返し挿入されて送信されている。Ａの位置には、そのチャンネルのサービスＩＤ（service_id）と、その他の各種情報が記載されている。また、ＳＤＴのdescriptor()の位置には図４（ｂ）に示すService Descriptorが挿入されている。Service DescriptorのＢの位置にはプロバイダ名が記載されており、Ｃの位置にはサービス名が記載されている。
マイコン１８は、これらの中からサービスＩＤ（項目特定情報、チャンネル特定情報）とサービス名（項目説明）とを取得して対応付けることにより図５に示すチャンネル説明テーブルＴ２を作成して不揮発性メモリー２０に記憶する。むろん、プロバイダ名やその他の情報とサービスＩＤとを対応付けたテーブルを作成し、プロバイダ名やその他の情報に基づいて、後述のクイック検索処理を行えるようにしても構わない。
【００３４】
図６に示すＥＩＴは、番組名等の情報を伝送するための規格であり、Ｄの位置にサービスＩＤ（service_id）が記載され、Ｅの位置に番組ＩＤ（event_id）とその他の情報が記載されている。また、Ｅのdescriptor()の位置には図６（ｂ）に示すShort Event Descriptorが挿入されている。Short Event Descriptorには、Ｆの位置にイベント名が記載され、Ｇの位置に番組の説明が記載されている。
マイコン１８は、番組ＩＤ（項目特定情報、番組特定情報）と番組の説明（項目説明）とを取得して対応付けることにより、図７に示す番組説明テーブルを作成して、不揮発性メモリー２０に記憶するする。むろん、イベント名やその他の情報とサービスＩＤとを対応付けたテーブルを作成し、イベント名やその他の情報に基づいて、後述のクイック検索処理を行えるようにしても構わない。
以上説明した不揮発性メモリー２０が本実施形態における対応関係記憶手段を構成し、チャンネル説明テーブルＴ２や番組説明テーブルＴ３を作成するマイコン１８が、本実施形態における対応関係作成手段を構成する。
【００３５】
（２）クイック検索処理： 
図８は、クイック検索処理の流れを示すフローチャートである。同図に示す処理は、チャンネルを選択するためのチャンネルリストを画面に表示しつつ行うチャンネル選択処理の実行されているとき、メニュー項目を画面に表示しつつ行うメニュー項目選択処理の実行されているとき、番組を選択するためのＥＰＧを画面に表示しつつ行う番組選択処理の実行されているとき、等に、マイコン１８によって繰り返し実行されており、数字キーの押下げ操作を検出することにより割込み処理として実行される。むろん、リモコン６０に別途、クイック検索を実行させるためのキーを設けて、このキーが押下げ操作されたときに実行されるようにしてもよい。
【００３６】
処理が開始されると、数字キーが押下げ操作されたか否かを判断する（Ｓ１００）。数字キーの押下げ操作を検知した場合はステップＳ１０５に進み（Ｓ１００：Ｙｅｓ）、数字キーの押下げ操作を検知しない場合はクイック検索処理を終了する（Ｓ１００：Ｎｏ）。ステップＳ１００はクイック検索処理の中で繰り返し実行可能であり（後述のステップＳ１３５，Ｓ１４０を経由してステップＳ１００に戻る場合）、ステップＳ１００において押下げ操作された数字キーの情報は、クイック検索処理が開始されてから数字キーが操作された回数ＮとともにＲＡＭ等に記憶される。この回数Ｎは、本実施形態における検索位置を構成する。本実施形態では、ステップＳ１００を実行するマイコンが、キー受付手段を構成する。
【００３７】
ステップＳ１０５では、ステップＳ１００で押下げ操作された数字キーに基づいてクイック検索を実行する。ここでは、まず、クイック検索の対象がチャンネルの選択の場合を例にとって説明する。チャンネル選択のクイック検索には、チャンネル説明テーブルＴ２が利用される。なお、このステップＳ１０５を実行するマイコン１８が本実施形態における検索手段を構成する。
図９は、クイック検索のＵＩと処理の流れのイメージを示した説明図である。同図に示すように、１回目に実行されたステップＳ１００においてリモコン６０の数字キー「３」が押下げ操作され、２回目に実行されたステップＳ１００においてリモコン６０の数字キー「４」が押下げ操作されている場合、ＲＡＭには、数字キー「３」が回数１とともに記憶され、数字キー「４」が回数２とともに記憶されている。
【００３８】
このとき、クイック検索が前方一致検索であれば、図５のサービス名の中から、１文字目に数字キー「３」の割当字である「３」「ｄ」「ｅ」「ｆ」を含み且つ、２文字目に数字キー「４」の割当字である「４」「ｇ」「ｈ」「ｉ」を含むものを検索する。図４，９に示す例では、「Film4+1」と「Five」の２つが検索結果として抽出される。
また、その後、さらに数字キー「８」が押下げ操作されると、ＲＡＭには数字キー「８」と回数３が追加で記憶されることになる。すると、再び検索が実行され、図４のサービス名の中から、１文字目に数字キー「３」の割当字である「３」「ｄ」「ｅ」「ｆ」を含み且つ、２文字目に数字キー「４」の割当字である「４」「ｇ」「ｈ」「ｉ」を含み、３文字目に数字キー「８」の割当字である「８」「ｔ」「ｕ」「ｖ」を含むものを検索する。図５，９に示す例では、「Five」が検索結果として抽出される。むろん、クイック検索は、後方一致検索で行ってもよいし、途中一致検索で行ってもよい。
【００３９】
クイック検索が実行されると、該当するサービス名が抽出されたか否かを判断する（Ｓ１１０）。そして、１以上のサービス名が抽出された場合はステップＳ１１５に進み（Ｓ１１０：Ｙｅｓ）、抽出されなかった場合はステップＳ１２０に進む（Ｓ１１０：Ｎｏ）。ステップＳ１１５では、検索結果を候補として一覧表示するとともに、検索結果の中から何れかを選択するためのカーソルを表示する。検索結果の中の所望のサービス名に対応しているサービスＩＤのチャンネルを選択することができる。一方、ステップＳ１２０では、検索結果が抽出されなかったことを表示してクイック検索処理を終了する。
このようにステップＳ１１５においてカーソルを表示しつつリモコンのカーソルキーの操作入力を受付けるマイコン１８が本実施形態の選択手段を構成し、ステップＳ１１５において検索結果の一覧を表示したりステップＳ１２０において検索結果が抽出されなかったことを表示するマイコン１８が本実施形態の表示手段をする。
【００４０】
ステップＳ１２５では、検索結果の中からいずれかが選択されたか否かを判断する。ユーザーはカーソルキー６４を操作して所望の検索結果にカーソルを合わせて確定させることにより選択することができる。検索結果が選択された場合はステップＳ１３０に進み（Ｓ１２５：Ｙｅｓ）、検索結果が選択されなかった場合はステップＳ１３５に進む（Ｓ１２５：Ｎｏ）。ステップＳ１２５では、選択された検索結果に対応するサービスＩＤのチャンネルを選択する制御信号を、割込み前に実行されていたチャンネルを選択するプログラムに受け渡して、クイック検索処理を終了する。よって、ステップＳ１２５で選択されたチャンネルが、クイック検索処理が開始される前に実行されていたチャンネルを選択するプログラムによって選局される
【００４１】
一方、ステップＳ１３０に進むと、クイック検索処理の終了が指示されたか否かの判断と（Ｓ１３５）、数字キーの更なる押下げ操作がされたか否かの判断と（Ｓ１４０）を繰り返し実行する。この繰り返し処理の間に、クイック検索処理の終了が指示されるとクイック検索処理を終了し（Ｓ１３５：Ｎｏ）、数字キーの押下げ操作が行われると、押下げ操作された数字キーと操作された回数とをＲＡＭに記憶させてからＳ１０５以降の処理を繰り返す（Ｓ１４０：Ｙｅｓ）。
以上説明したクイック検索処理によれば、少ないキー操作で、多数のチャンネルの中から、所望のチャンネルを容易且つ迅速に選択可能になる。
【００４２】
（３）まとめと変形例： 
以上説明した実施形態によれば、サービスＩＤとサービス名とを対応付けたチャンネル説明テーブルＴ２を不揮発性メモリー２０に記憶しておき、リモコン６０の数字キー６６のいずれかの選択と検索位置の指定とを受付け、選択された数字キーに対応付けられた文字又は数字を上記検索位置に含むサービス名をチャンネル説明テーブルＴ２の中から検索し、検索されたサービス名をディスプレイ１６に表示し、表示されたサービス名の何れかをリモコン６０で選択可能にする。よって、複数の項目の中から、所望の項目を容易且つ迅速に選択可能になる。 
【００４３】
上述した実施形態において、クイック検索処理は、所定の項目選択を行うプログラムの実行下における割込み処理として記載したが、むろん、別途、クイック検索を実行させるためのキーをリモコン６０に設けるなどして、他のプログラムに依存しない形で実行されてもよい。この場合は、選局処理や、メニュー項目実行処理を、クイック検索処理で実行できるようになっている。
【００４４】
上述した実施形態でも途中一致検索について示唆したが、この途中一致検索の一例として、ステップＳ１００において数字キーを受付けた後で、先頭からの順番や末尾からの順番を受付けるようにしても構わない。このようにすると、受付けた数字キーに受付けた順番が対応付けてＲＡＭに記憶され、項目説明の中で特定の順番に、数字キーの割当字を含む項目説明が検索されることになる。
【００４５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４６】
１０…チューナー、１２…デジタル復調回路、１２ａ…フロントエンド、１２ｂ…バックエンド、１４…映像信号処理部、１６…ディスプレイ、１８…マイコン、１８ａ…ＣＰＵ、１８ｂ…ＲＯＭ、１８ｃ…ＲＡＭ、１８ｄ…ＯＳＤ回路、１８ｅ…入出力回路、２０…不揮発性メモリー、２２…リモコン受信部、６０…リモコン、６２…電源キー、６３…メニュー呼び出しキー、６４…カーソルキー、６５…ボリュームキー、６６…数字キー、１００…テレビジョン、Ｔ１…メニュー説明テーブル、Ｔ２…チャンネル説明テーブル、Ｔ３…番組説明テーブル
【図１】
2011101257.tif 000003
【図２】
2011101257.tif 000004
【図３】
2011101257.tif 000005
【図４】
2011101257.tif 000006
【図５】
2011101257.tif 000007
【図６】
2011101257.tif 000008
【図７】
2011101257.tif 000009
【図８】
2011101257.tif 000010
【図９】
2011101257.tif 000011